(57)【要約】【課題】情報通信ネットワークにおいて、そのネットワークの通信回線の品質を一定に保ちつつ、情報通信に用いられる装置にかかる負荷を軽減する通信システムを提供することにある。【解決手段】通信システムにおいて、通信装置と、前記通信装置に備えられ、ネットワークを介してパケットを送受信する回線カードと、前記通信装置に備えられたＱｏＳ機能カードとを含み、前記ＱｏＳ機能カードは、記憶部と、処理部とを含み、前記記憶部は複数のＱｏＳ情報を記憶し、前記複数のＱｏＳ情報の各々は、ネットワークを介して送受信される複数のパケットの各々に対応して記憶され、前記複数のＱｏＳ情報の各々は、複数の通信制御情報を含み、前記処理部は、前記複数のパケットの少なくとも一つのパケットの送信または受信に応答して、前記記憶部を検索し、前記検索の結果、前記パケットに対応するＱｏＳ情報が、前記記憶部に記憶されていた場合、前記パケットに対応するＱｏＳ情報を抽出し、前記抽出したＱｏＳ情報に基づいて、前記パケットの通信制御をする【選択図】        図１
2005012707.tif 000002
【特許請求の範囲】
【請求項１】
通信装置と、
前記通信装置に備えられ、ネットワークを介してパケットを送受信する回線カードと、
前記通信装置に備えられたＱｏＳ機能カードとを含み、
前記ＱｏＳ機能カードは、
記憶部と、
処理部とを含み、
前記記憶部は複数のＱｏＳ情報を記憶し、
前記複数のＱｏＳ情報の各々は、前記ネットワークを介して送受信される複数のパケットの各々に対応して記憶され、
前記複数のＱｏＳ情報の各々は、複数の通信制御情報を含み、
前記処理部は、前記複数のパケットの少なくとも一つのパケットの送信または受信に応答して、前記記憶部を検索し、前記検索の結果、前記パケットに対応するＱｏＳ情報が、前記記憶部に記憶されていた場合、前記パケットに対応するＱｏＳ情報を抽出し、前記抽出したＱｏＳ情報に基づいて、前記パケットの通信制御をする
通信システム。
【請求項２】
請求項１に記載の通信システムにおいて、
前記回線カードは、前記ネットワークを介して送信される前記複数のパケットの少なくとも一つの受信に応答して、前記パケットを前記ＱｏＳ機能カードに出力し、
前記処理部は、前記出力されたパケットの受信に応答して前記検索を開始する
通信システム。
【請求項３】
請求項１または２に記載の通信システムにおいて、
前記通信装置は、装置制御部を含み、
前記装置制御部は、新たなＱｏＳ情報を前記ＱｏＳ機能カードに通知し、
前記ＱｏＳ機能カードは、前記通知に応答して前記新たなＱｏＳ情報を前記記憶部に格納する
通信システム。
【請求項４】
請求項３に記載の通信システムにおいて、
前記装置制御部は、ＱｏＳ情報作成部を含み、
前記ＱｏＳ情報作成部は、ＱｏＳ作成指示に応答して、新たなＱｏＳ情報を作成する
通信システム。
【請求項５】
請求項４に記載の通信システムにおいて、
前記通信装置は複数のＱｏＳ機能カードを備え、
前記装置制御部は、新たなＱｏＳ情報を前記複数のＱｏＳ機能カードの少なくとも一つに通知し、
前記通知を受信したＱｏＳ機能カードは、前記新たなＱｏＳ情報を前記記憶部に記憶する
通信システム。
【請求項６】
請求項５に記載の通信システムにおいて、
前記装置制御部は、前記複数のパケットの各々に対応するＱｏＳ情報が、前記複数のＱｏＳ機能カードのうち、どのＱｏＳ機能カードに記憶されているのかを示す振分情報を、前記回線カードに予め通知し、
前記回線カードは、前記振分情報に基づいて、前記複数のパケットの各々を前記複数のＱｏＳ機能カードの少なくとも一つに出力する
通信システム。
【請求項７】
請求項１乃至６の何れか１項に記載の通信システムにおいて、
前記ＱｏＳ情報が、前記ネットワークで通信されるパケットに対する、パケットフィルタリングを行うための情報である
通信システム。
【請求項８】
請求項１乃至７の何れか１項に記載の通信システムにおいて、
前記ＱｏＳ情報が、前記ネットワークの優先制御を行うための情報である
通信システム。
【請求項９】
請求項１乃至８の何れか１項に記載の通信システムにおいて、
前記ＱｏＳ情報が、前記ネットワークの帯域保証を行うための情報である
通信システム。
【請求項１０】
通信装置に備えられ、
記憶部と、
処理部とを含み、
前記記憶部は複数のＱｏＳ情報を記憶し、
前記複数のＱｏＳ情報の各々は、ネットワークを介して送受信される複数のパケットの各々に対応して記憶され、
前記複数のＱｏＳ情報の各々は、複数の通信制御情報を含み、
前記処理部は、前記複数のパケットの少なくとも一つのパケットの送信または受信に応答して、前記記憶部を検索し、前記検索の結果、前記パケットに対応するＱｏＳ情報が、前記記憶部に記憶されていた場合、前記パケットに対応するＱｏＳ情報を抽出し、前記抽出したＱｏＳ情報に基づいて、前記パケットの通信制御をする
ＱｏＳ機能カード。
【請求項１１】
請求項１０に記載のＱｏＳ機能カードにおいて、
前記ＱｏＳ情報が、前記ネットワークで通信されるパケットに対する、パケットフィルタリングを行うための情報である
ＱｏＳ機能カード。
【請求項１２】
請求項１０または１１に記載のＱｏＳ機能カードにおいて、
前記ＱｏＳ情報が、前記ネットワークの優先制御を行うための情報である
ＱｏＳ機能カード。
【請求項１３】
請求項１０乃至１２の何れか１項に記載のＱｏＳ機能カードにおいて、
前記ＱｏＳ情報が、前記ネットワークの帯域保証を行うための情報である
ＱｏＳ機能カード。
【発明の詳細な説明】
【０００１】
【発明の属する技術分野】
本発明は、ＱｏＳ機能カードおよびＱｏＳ機能カードを用いた通信システムに関する。
【０００２】
【従来の技術】
インターネットに代表される、情報通信ネットワークの普及は情報化社会の発展に非常に貢献している。そのような情報通信ネットワークにおいて、通信技術の進歩による通信回線速度の増加は、そのネットワークを介して送受信される単位時間あたりのデータ量を増大させることとなった。このように、ネットワークを介して送受信可能な単位時間あたりのデータ量が大きくなることで、ストリーミング配信などの新たな情報通信形態が登場し、ネットワークにおけるＱｏＳ（Ｑｕａｌｉｔｙ  ｏｆ  Ｓｅｒｖｉｃｅ  サービスの品質）と呼ばれる技術の重要性が増大してきた。ネットワークにおけるＱｏＳとは、ネットワークにおいて一定の通信品質を保つための技術を指し、ＡＴＭ（Ａｓｙｎｃｈｒｏｎｏｕｓ  Ｔｒａｎｓｆｅｒ  Ｍｏｄｅｌ  非同期転送技術）などに実装されている。
【０００３】
このように、情報通信ネットワークの普及、さらに、そのような情報通信ネットワークにおける通信技術の進歩による通信回線利用者の増加は、構成されるネットワークの多様化を招き、情報通信における安全性の確保という観点からも、ネットワークにおけるＱｏＳ（Ｑｕａｌｉｔｙ  ｏｆ  Ｓｅｒｖｉｃｅ  サービスの品質）の重要性が注目されている。ＱｏＳに用いられる技術には、ネットワークを介して送受信されるパケットのフィルタリング、優先制御およびパケットの帯域制御などの技術などがあり、情報通信ネットワークは、このような技術を用いてネットワークの通信品質を一定に保つ。
【０００４】
図５は、従来情報通信ネットワークにおいて用いられている回線カードを示す図である。図５を参照すると、従来の技術では、ＱｏＳ制御を行う機能の全ては回線カードや、その回線カードに類する専用の装置に設けられており、その回線カードや専用装置は情報通信ネットワークを介して送受信するパケットのルーティング処理やデータ転送以外に、そのパケットのＱｏＳ制御を行っている（例えば、特許文献１参照。）。
【０００５】
ＱｏＳ制御を行う機能を有する回線カードは、情報通信ネットワークにおいて、データ通信を行いつつのデータ回線の品質を一定に保つ技術において、優れている。より高度なＱｏＳ機能を有し、より高速なデータ通信が行える通信装置および通信システムが望まれる。
【０００６】
【特許文献１】
特開２００１−３４５８０８号公報。
【０００７】
【発明が解決しようとする課題】
本発明が解決しようとする課題は、情報通信ネットワークにおいて、そのネットワークの通信回線の品質を一定に保ちつつ、情報通信に用いられる装置にかかる負荷を軽減する通信システムを提供することにある。
【０００８】
【課題を解決するための手段】
以下に、［発明の実施の形態］で使用される番号を用いて、課題を解決するための手段を説明する。これらの番号は、［特許請求の範囲］の記載と［発明の実施の形態］との対応関係を明らかにするために付加されたものである。ただし、それらの番号を、［特許請求の範囲］に記載されている発明の技術的範囲の解釈に用いてはならない。
【０００９】
通信装置と、前記通信装置に備えられ、ネットワークを介してパケットを送受信する回線カード（１、２）と、前記通信装置に備えられたＱｏＳ機能カード（４）とを含み、前記ＱｏＳ機能カード（４）は、記憶部（４１）と、処理部（４２）とを含み、前記記憶部（４１）は複数のＱｏＳ情報を記憶し、前記複数のＱｏＳ情報の各々は、前記ネットワークを介して送受信される複数のパケットの各々に対応して記憶され、前記複数のＱｏＳ情報の各々は、複数の通信制御情報を含み、前記処理部（４２）は、前記複数のパケットの少なくとも一つのパケットの送信または受信に応答して、前記記憶部（４１）を検索し、前記検索の結果、前記パケットに対応するＱｏＳ情報が、前記記憶部（４１）に記憶されていた場合、前記パケットに対応するＱｏＳ情報を抽出し、前記抽出したＱｏＳ情報に基づいて、前記パケットの通信制御をする。
【００１０】
その通信システムにおいて、前記回線カード（１、２）は、前記ネットワークを介して送信される前記複数のパケットの少なくとも一つの受信に応答して、前記パケットを前記ＱｏＳ機能カード（４）に出力し、前記処理部（４２）は、前記出力されたパケットの受信に応答して前記検索を開始する。
【００１１】
さらに、その通信システムにおいて、前記通信装置は、装置制御部（５）を含み、前記装置制御部（５）は、新たなＱｏＳ情報を前記ＱｏＳ機能カード（４）に通知し、前記ＱｏＳ機能カード（４）は、前記通知に応答して前記新たなＱｏＳ情報を前記記憶部（４１）に格納する。
【００１２】
さらに、その通信システムにおいて、前記装置制御部（５）は、ＱｏＳ情報作成部（５１）を含み、前記ＱｏＳ情報作成部（５１）は、ＱｏＳ作成指示に応答して、新たなＱｏＳ情報を作成する。
【００１３】
さらに、その通信システムにおいて、前記通信装置は複数のＱｏＳ機能カード（４）を備え、前記装置制御部（５）は、新たなＱｏＳ情報を前記複数のＱｏＳ機能カード（４）の少なくとも一つに通知し、前記通知を受信したＱｏＳ機能カード（４）は、前記新たなＱｏＳ情報を前記記憶部（４１）に記憶する。
【００１４】
さらに、その通信システムにおいて、前記装置制御部（５）は、前記複数のパケットの各々に対応するＱｏＳ情報が、前記複数のＱｏＳ機能カード（４）のうち、どのＱｏＳ機能カード（４）に記憶されているのかを示す振分情報を、前記回線カード（１、２）に予め通知し、前記回線カード（１、２）は、前記振分情報に基づいて、前記複数のパケットの各々を前記複数のＱｏＳ機能カード（４）の少なくとも一つに出力する。
【００１５】
さらに、その通信システムにおいて、前記ＱｏＳ情報が、前記ネットワークで通信されるパケットに対する、パケットフィルタリングを行うための情報であることが好ましい。
【００１６】
さらに、その通信システムにおいて、前記ＱｏＳ情報が、前記ネットワークの優先制御を行うための情報であることが好ましい。
【００１７】
さらに、その通信システムにおいて、前記ＱｏＳ情報が、前記ネットワークの帯域保証を行うための情報であることが好ましい。
【００１８】
通信装置に備えられ、記憶部（４１）と、処理部（４２）とを含み、前記記憶部（４１）は複数のＱｏＳ情報を記憶し、前記複数のＱｏＳ情報の各々は、ネットワークを介して送受信される複数のパケットの各々に対応して記憶され、前記複数のＱｏＳ情報の各々は、複数の通信制御情報を含み、前記処理部（４２）は、前記複数のパケットの少なくとも一つのパケットの送信または受信に応答して、前記記憶部（４１）を検索し、前記検索の結果、前記パケットに対応するＱｏＳ情報が、前記記憶部（４１）に記憶されていた場合、前記パケットに対応するＱｏＳ情報を抽出し、前記抽出したＱｏＳ情報に基づいて、前記パケットの通信制御をするＱｏＳ機能カード（４）。
【００１９】
そのＱｏＳ機能カード（４）において、前記ＱｏＳ情報が、前記ネットワークで通信されるパケットに対する、パケットフィルタリングを行うための情報であることが好ましい。
【００２０】
さらに、そのＱｏＳ機能カード（４）において、前記ＱｏＳ情報が、前記ネットワークの優先制御を行うための情報であることが好ましい。
【００２１】
さらに、そのＱｏＳ機能カード（４）において、前記ＱｏＳ情報が、前記ネットワークの帯域保証を行うための情報であることが好ましい。
【００２２】
【発明の実施の形態】
以下に図面を用いて、本発明の実施の形態について述べる。
【００２３】
［実施例の構成］
図１は、本発明の実施の形態におけるネットワークシステムの構成を示すブロック図である。図１を参照すると、本発明の実施の形態におけるネットワークシステムは、情報通信ネットワークを介して送受信されるパケットの送受信処理を行う１または複数の回線カード（１、２）と、各々のカードを接続するスイッチ３と、通信装置本体の動作を制御する装置制御部５と、ＱｏＳ機能カード４とで構成される。以下に述べる実施の形態では、回線カード１と回線カード２を用いたネットワーク構成について述べるが、これは本発明における回線カードの数を限定するものではない。
【００２４】
回線カード（１、２）は、パケット入力部（１１、２１）と、パケット出力部（１４、２４）と、スイッチ処理部（１２、２２）と、ＱｏＳ制御部とで構成される。回線カード（１、２）２は回線カード（１、２）と同様の構成で構成される。パケット入力部（１１、２１）は、情報通信ネットワークを介して送信されたパケットを受信する機能ブロックである。回線カード（１、２）に内蔵され、情報通信ネットワークを介して送信されたパケットを受信し、その受信したパケットをスイッチ処理部（１２、２２）に出力する。パケット出力部（１４、２４）は、情報通信ネットワークにパケットを送信する機能ブロックである。回線カード（１、２）に内蔵され、ＱｏＳ制御部（１３、２３）から出力されたパケットを受け取り、そのパケットをネットワークの所定のアドレスに送信する。
【００２５】
パケットは、情報通信ネットワークを介して送受信されるデータを、そのネットワークに使用される通信形式に適応する形式で分割された、分割データの１単位である。ネットワークの構成によりパケット以外の呼称も存在し、通常は、その分割データの制御情報が入るヘッダ部とデータ本体とを含む。
【００２６】
スイッチ処理部（１２、２２）は、スイッチ３と通信を行う機能ブロックである。回線カード（１、２）に内蔵され、情報通信ネットワークを介して送信され回線カード（１、２）のパケット入力部（１１、２１）が受信したパケットを、スイッチ３に出力する。また、スイッチ３を経由して送られたパケットを受信して、そのパケットをＱｏＳ制御部（１３、２３）に出力する。さらに自装置宛てに送信されたパケットを受信した場合、そのパケットをスイッチ３に出力することなく、自装置宛てパケット処理を実行する。
【００２７】
ＱｏＳ制御部（１３、２３）は、情報通信ネットワークを介して送信するパケットの、送信先優先制御、帯域保証を行う機能ブロックである。回線カード（１、２）に内蔵され、スイッチ処理部（１２、２２）から出力されたパケットを受け取り、ＱｏＳ機能カード４から通知されたＱｏＳ制御を行うための命令に基づいて、各々のパケットの通信制御を行う。
【００２８】
スイッチ３は、回線カード（１、２）およびＱｏＳ機能カード４から送信されたパケットを所定の処理装置に転送する機能ブロックである。回線カード（１、２）のスイッチ処理部（１２、２２）から出力されたパケットを受信し、そのパケットをＱｏＳ機能カード４に転送する。また、ＱｏＳ機能カード４から出力されたパケットを受信し、そのパケットを所定の回線カード（１、２）に転送する。さらに各々の回線カード（１、２）から送信されたパケットをＱｏＳ機能カード４を経由させずに所定の回線カード（１、２）に転送する。
【００２９】
装置制御部５は、演算処理機能を有する機能ブロックである。装置本体に備えられ、その装置に備えられた回線カード（１、２）およびＱｏＳ機能カード４を備える通信装置本体の制御を行う。装置制御部５は、さらにＱｏＳデータ作成部を有する。ＱｏＳデータ作成部は、ネットワークを介して送受信される複数のパケットの各々の対応するＱｏＳ情報を作成し、その作成したＱｏＳ情報をＱｏＳ機能カード４に通知する。
【００３０】
ＱｏＳ機能カード４は、ＱｏＳ検索部４２と、ＱｏＳテーブル４１とで構成される。ＱｏＳ検索部４２は、演算処理機能を有し、スイッチ３から転送されたパケットの受信に応答して、ＱｏＳテーブル４１を検索し、そのパケットのヘッダ部に格納された制御情報に基づいて、そのパケットに対応するＱｏＳ情報をＱｏＳテーブル４１から抽出し、抽出したＱｏＳ情報をスイッチ３を介して回線カード（１、２）に送信する。
【００３１】
ＱｏＳテーブル４１は、ＱｏＳ情報が格納されているテーブルである。読み書き可能な記憶媒体で構成され、情報通信ネットワークを介して送受信される複数のパケットの各々に対応するＱｏＳ情報を格納する。また、装置制御部５から通知された新たなＱｏＳ情報を受信し、その新たなＱｏＳ情報が、先に格納したＱｏＳ情報の更新通知であった場合、該当するＱｏＳ情報を更新し、新規のＱｏＳ情報であった場合、そのＱｏＳ情報を対応させるパケットの情報と対に格納する。
【００３２】
［実施例の動作］
図２は本発明における実施例の動作を示すフローチャートである。図２を参照すると、本発明の実施の形態における動作は、回線カード（１、２）が情報通信ネットワークを介してパケットを受信すると開始する。
【００３３】
ステップＳ１０１において、回線カード（１、２）のパケット入力部（１１、２１）は、情報通信ネットワークを介して送信されたパケットを受信する。
【００３４】
ステップＳ１０３において、スイッチ３処理部は、その受信したパケットのヘッダ部に格納された制御情報に基づいて、そのパケットが自装置宛てであるかどうかの判定を行う。その判定の結果、受信したパケットが自装置宛て以外のパケットであった場合、ルーティング処理を行うためにステップＳ１０５に進む。その判定の結果、そのパケットが自装置宛てのパケットであった場合、ステップＳ１０７に進む。
【００３５】
ステップ１０５において、スイッチ３は回線カード（１、２）のスイッチ３処理部が出力したパケットを受信し、その受信したパケットをＱｏＳ機能カード４に転送し、ステップＳ１０９に進む。そのパケットがＱｏＳ制御を必要としないパケットであった場合、回線カード（１、２）のスイッチ３処理部は、スイッチ３し対してＱｏＳ機能カード４を経由させる必要の無いパケットである情報を、そのパケットのヘッダ部に添付し、スイッチ３はその情報に基づいて、そのパケットをＱｏＳ機能カード４を経由させずに所定の回線カード（１、２）に転送する（図示せず。）。
【００３６】
これにより、データ回線があまり混雑していない場合で、そのパケットがパケットフィルタリングを必要としていないパケットであることが明らかな場合は、より高速なデータ通信が可能になる。
【００３７】
ステップＳ１０３で行われた判定の結果、その受信したパケットが自装置宛てのパケットであった場合、スイッチ３処理部はそのパケットをスイッチ３に出力せず、ステップＳ１０７において自装置宛てパケット処理を実行する。
【００３８】
ステップＳ１０９において、ＱｏＳ機能カード４はスイッチ３を経由して転送されたパケットを受信し、その受信したパケットのヘッダ部に格納された制御情報を基に、そのパケットが、フィルタリング処理を行う必要があるパケットかどうかの判定を行う。その判定の結果、そのパケットがフィルタリング処理が必要ないパケットであった場合、ステップＳ１１１に進む。その判定の結果、そのパケットがフィルタリング処理が必要なパケットであった場合、パケットフィルタリングを行うために、ステップＳ１１３に進む。
【００３９】
ステップＳ１１１において、ＱｏＳ機能カード４のＱｏＳ検索部４２は、転送されたパケットのＱｏＳ制御を実行するために、ＱｏＳテーブル４１からそのパケットのＱｏＳ制御に必要なＱｏＳ情報を抽出する。送受信する複数のパケットの各々のＱｏＳ情報は、ＱｏＳテーブル４１に格納されており、ＱｏＳ検索部４２はスイッチ３から転送されたパケットに対応するＱｏＳ情報を抽出する。
【００４０】
ＱｏＳ情報の抽出は、ＱｏＳ検索部４２が受信したパケットのヘッダ部に格納された制御情報から、そのパケットがどのようなデータであるかを認識し、その認識に基づいてそのパケットに対応するＱｏＳ情報を検索し、検索の結果そのパケットに対応するＱｏＳ情報を検出した場合、そのＱｏＳ情報を抽出する。
【００４１】
検索の結果そのパケットに対応するＱｏＳ情報を検出しなかった場合、ＱｏＳ処理部は、汎用的なＱｏＳ情報を抽出し、そのパケットに対するＱｏＳ情報とする。ＱｏＳ検索部４２によるＱｏＳ情報の抽出が完了したパケットは、ルーティング処理を続行するために、スイッチ３に出力され、ステップＳ１１５に進む。
【００４２】
ステップＳ１１３において、ステップＳ１０９の判定の結果、そのパケットがフィルタリング処理が必要なパケットであった場合、ＱｏＳ機能カード４はそのパケットのヘッダ部に格納された制御情報に基づいてパケットフィルタリングを実行する。ここでＱｏＳ機能カード４は、パケットフィルタリングが行われたことを通知する必要があると判断した場合、その旨を通信回線管理者に通知する。
【００４３】
ステップＳ１１５において、スイッチ３は、ＱｏＳ機能カード４から出力されたパケットと、ＱｏＳ検索部４２が抽出した、そのパケットに対応するＱｏＳ情報を、そのパケットのヘッダ部に格納された制御情報を基に、所定の回線カード（１、２）に転送しステップＳ１１７に進む。
【００４４】
ステップＳ１１７において、回線カード（１、２）のＱｏＳ制御部（１３、２３）は、ＱｏＳ機能カード４から出力され、スイッチ３を介して転送されたパケットと、ＱｏＳ検索部４２が抽出した、そのパケットに対応するＱｏＳ情報を受信する。ＱｏＳ制御部（１３、２３）は、その受信したパケットに対して、ＱｏＳカードから送られてきたＱｏＳ情報に基づいて、優先制御や帯域制御などのＱｏＳ制御をどのように行うかを決定し、ここで決定した、そのパケットに対するＱｏＳ制御と、先に受信している他のパケットのＱｏＳ制御に基づいて、そのパケットをパケット出力部（１４、２４）に送り、ステップＳ１１９に進む。
【００４５】
ステップＳ１１９において、ＱｏＳ制御部（１３、２３）から出力されたパケットを受け取ったパケット出力部（１４、２４）は、そのパケットを情報通信ネットワークを介して所定のアドレスに送信する。
【００４６】
以上の動作により、パケットの送受信を行う情報通信ネットワークにおいて、ＱｏＳ制御に必要な機能を有する、ＱｏＳ専用の拡張カードを備える通信装置を用いてデータ通信を行うことで、より高速なデータ通信を実現させつつ、その通信回線の回線品質を一定に保持することが可能になる。
【００４７】
［第２の実施の形態］
（実施の構成）
以下に図面を用いて、本発明の第２の実施の形態について述べる。図３は、本発明の第２の実施の形態におけるネットワークシステムの構成を示すブロック図である。図３を参照すると、本発明の実施の形態におけるネットワークシステムは、情報通信ネットワークを介して送受信されるパケットの送受信処理を行う回線カード（１、２）と、各々のカードを接続するスイッチ３と、通信装置本体の動作を制御する装置制御部５と、複数のＱｏＳ機能カード４とで構成される。第２の実施に形態における、回線カード（１、２）、スイッチ３は先に述べた実施の形態と同様の構成であるので、説明を省略する。
【００４８】
装置制御部５は、演算処理機能を有する機能ブロックである。装置本体に備えられ、その装置に備えられた回線カード（１、２）および複数のＱｏＳ機能カード４を備える通信装置本体の制御を行う。装置制御部５は、さらにＱｏＳデータ作成部を有する。ＱｏＳデータ作成部は、ネットワークを介して送受信される複数のパケットの各々の対応するＱｏＳ情報を作成し、その作成したＱｏＳ情報を複数のＱｏＳ機能カード４の任意のＱｏＳ機能カード４に通知する。
【００４９】
さらに、装置制御部５は回線カード（１、２）と通信する機能を有する。通信装置が複数のＱｏＳ機能カード４を備えた場合、パケットを受信した回線カード（１、２）が、そのパケットを複数存在するＱｏＳ機能カード４のうち、どのＱｏＳ機能カード４に送信すれば良いのかを判断するための情報を、予め決定し回線カード（１、２）に通知する。
【００５０】
複数のＱｏＳ機能カード４の各々は、ＱｏＳ検索部４２と、ＱｏＳテーブル４１とで構成される。ＱｏＳ検索部４２は、演算処理機能を有し、スイッチ３から転送されたパケットの受信に応答して、ＱｏＳテーブル４１を検索し、そのパケットのヘッダ部に格納された制御情報に基づいて、そのパケットに対応するＱｏＳ情報をＱｏＳテーブル４１から抽出し、抽出したＱｏＳ情報をスイッチ３を介して回線カード（１、２）に送信する。
【００５１】
ＱｏＳテーブル４１は、ＱｏＳ情報が格納されているテーブルである。読み書き可能な記憶媒体で構成され、情報通信ネットワークを介して送受信される複数のパケットの各々に対応するＱｏＳ情報を格納する。また、装置制御部５から通知された新たなＱｏＳ情報を受信し、その新たなＱｏＳ情報が、先に格納したＱｏＳ情報の更新通知であった場合、該当するＱｏＳ情報を更新し、新規のＱｏＳ情報であった場合、そのＱｏＳ情報を対応させるパケットの情報と対に格納する。
【００５２】
（実施の動作）
以下に、本発明の第２の実施の形態における動作について述べる。本発明の第２の実施の形態における動作は、先に述べた実施の形態と同様、回線カード（１、２）が情報通信ネットワークを介してパケットを受信すると開始する。
【００５３】
回線カード（１、２）のスイッチ３処理部は、その受信したパケットのヘッダ部に格納された制御情報に基づいて、そのパケットが自装置宛てであるかどうかの判定を行う。その判定の結果、受信したパケットが自装置宛て以外のパケットであった場合、ルーティング処理を行うためにそのパケットをスイッチ３に出力する。その判定の結果、そのパケットが自装置宛てのパケットであった場合、自装置宛てパケット処理を実行する。
【００５４】
回線カード（１、２）は、そのパケットを複数存在するＱｏＳ機能カード４のうち、どのＱｏＳ機能カード４に送信するかを決定し、その決定した情報を、そのパケットのヘッダ部に格納される制御情報に添付して出力する。受信したパケットを複数存在するＱｏＳ機能カード４のうち、どのＱｏＳ機能カード４に送信するかの判断は、予め装置制御部５から送信された情報に基づいて行われ、その判断の基になる情報の存在しないパケットを受信した場合、そのパケットは、汎用ＱｏＳ情報を格納するＱｏＳ機能カード４に送信される。
【００５５】
スイッチ３は回線カード（１、２）のスイッチ３処理部が出力したパケットを受信し、その受信したパケットをＱｏＳ機能カード４に転送する。そのパケットがＱｏＳ制御を必要としないパケットであった場合、回線カード（１、２）のスイッチ３処理部は、スイッチ３し対してＱｏＳ機能カード４を経由させる必要の無いパケットである情報を、そのパケットのヘッダ部に添付し、スイッチ３はその情報に基づいて、そのパケットをＱｏＳ機能カード４を経由させずに所定の回線カード（１、２）に転送する（図示せず。）。
【００５６】
以上の構成、動作により情報通信ネットワークを介して送受信される情報の種類の増加、ネットワーク構成の複雑化により、そのネットワークに必要とされるＱｏＳ情報の増加に迅速に対応できるようになる。
【００５７】
さらに、本発明のＱｏＳ機能カード４は、物理インターフェースと仮想インターフェースを区別することなくＱｏＳ制御をすることが可能である。図４は、仮想インターフェースを用いたネットワークシステムの構成の一例を示す図である。
図４を参照すると、ＭＰＬＳなどで作成された仮想インターフェースは、ルーティング情報を基に出力する回線カード（１、２）および出力ポートを変更する。ＱｏＳ機能カード４は、複数存在するインターフェース（仮想インターフェースを含む。）と情報の共有が可能である。
【００５８】
ルーティング機能ブロック８において、仮想インターフェースのルーティング情報が変更された場合、ＱｏＳ情報部６に対してＱｏＳ機能カード４はＱｏＳ情報変更通知を受信し、仮想インターフェースデータ６１の出力先処理を変更し、ＱｏＳ情報を変更する。
【００５９】
以上の構成、動作により情報通信ネットワークを介して送受信される情報の種類の増加、ネットワーク構成の複雑化、特に仮想インターフェースを有するネットワーク構成の場合において、そのネットワークに必要とされるＱｏＳ情報の増加、変更に迅速に対応できるようになる。
【００６０】
【発明の効果】
本発明の効果は、情報通信ネットワークの通信速度を一定に保ち、通信回線の品質を一定に保ちつつ、情報通信に用いられる装置にかかる負荷を軽減する通信システムの提供し、情報通信ネットワークの普及に伴う、ＱｏＳ情報の増加に迅速に対応できる効果がある。
【００６１】
本発明の他の効果は、ＱｏＳ処理を専門に行うＱｏＳ機能カードを備えることで、データの送受信にかかるパケット処理の高速化と、データ通信安定化の両立が可能になる効果がある。
【００６２】
さらに、本発明の他の効果は、仮想インターフェースが存在するシステムにおいて、システム上のインターフェースの増加に伴うＱｏＳ情報の増加に迅速に対応できる効果がある。
【００６３】
さらに、本発明の他の効果は、ＱｏＳ処理を専門に行うＱｏＳ機能カードを備えることで、一つの通信装置に複数のＱｏＳ機能カードを備えることが可能になり、冗長構成となるため、情報通信ネットワーク上のＱｏＳサービスを停止させることなく、任意のＱｏＳ機能カードの動作または休止の切替が可能になる効果がある。
【図面の簡単な説明】
【図１】図１は、本発明のネットワークシステムの構成の一例を示すブロック図である。
【図２】図２は、本発明の動作の一例を示すフローチャートである。
【図３】図３は、本発明のネットワークシステムの構成の他の一例を示すブロック図である。
【図４】図４は、仮想インターフェースを用いたネットワークシステムの構成の一例を示す図である。
【図５】図５は、従来のネットワークシステムの構成を示すブロック図である。
【符号の説明】
１      回線カード
１１    パケット入力部
１２    スイッチ処理部
１３    ＱｏＳ制御部
１４    パケット出力部
２      回線カード
２１    パケット入力部
２２    スイッチ処理部
２３    ＱｏＳ制御部
２４    パケット出力部
３      スイッチ
４      ＱｏＳ機能カード
４１    ＱｏＳ検索部
４２    ＱｏＳテーブル
５      装置制御部
５１    ＱｏＳデータ作成部
６      ＱｏＳ情報部
６１    仮想インターフェースデータ
７      ポート情報
８      ルーティング機能ブロック
９      変更通知
【図１】
2005012707.tif 000003
【図２】
2005012707.tif 000004
【図３】
2005012707.tif 000005
【図４】
2005012707.tif 000006
【図５】
2005012707.tif 000007